(57)【特許請求の範囲】
【請求項１】
２つ以上の入力信号を受ける入力端と、表示装置とを具え、交互トリガ・モードを有するデジタル・ストレージ・オシロスコープであって、
上記入力端に結合され、上記入力信号の各々を順次選択する選択手段と、
選択された上記入力信号に応答し、トリガ条件を満たしたときにトリガ信号を発生するトリガ手段と、
上記入力信号用入力端及び上記表示装置の間に結合され、各々が上記入力信号に夫々関連した複数の波形メモリを含み、上記トリガ信号に応答して、上記選択された入力信号に関連した上記波形メモリを、上記選択された入力信号を表すデータにより更新する一方、上記選択されない入力信号に関連した上記波形メモリを更新しないで前のデータを残し、上記複数の波形メモリ内のデータが表す信号の波形を示す画像信号を発生するラスタ信号発生手段と
を更に具えたデジタル・ストレージ・オシロスコープ。
【請求項２】
上記ラスタ信号発生手段が、
上記入力信号の各々に夫々応答して、上記入力信号の各々を表す一連のサンプルを夫々発生する複数のデジタル化手段と、
該デジタル化手段の各々に夫々結合され、上記トリガ信号に夫々応答して、上記選択された入力信号の波形を表すサンプルを選択し、上記選択された入力信号に関連した上記波形メモリ内に上記選択されたサンプルを蓄積する複数の波形サンプル選択手段と、
上記波形メモリに結合され、少なくとも上記選択された入力信号用の上記選択された入力サンプルに対応する波形を表すラスタ画像信号を発生するラスタ化回路と
を具えたことを特徴とする請求項１のデジタル・ストレージ・オシロスコープ。
【請求項３】
２つ以上の入力信号を受ける入力端と、表示装置とを有するデジタル・ストレージ・オシロスコープにおいて、交互にトリガを行う方法であって、
上記入力信号の各々を順次選択し、
選択された上記入力信号に応答して、トリガ条件を満たしたときに、トリガ信号を発生し、
上記トリガ信号に応じて、上記選択された入力信号を表すデータにより波形メモリを更新する一方、上記選択されない入力信号を表すデータにより上記波形メモリを更新しないで前のデータを残し、
上記選択された入力信号を表す新たに蓄積されたデータ及び上記更新しない前のデータからラスタ画像信号を発生し、
上記画像信号が表す画像を表示する
ことを特徴とするデジタル・ストレージ・オシロスコープ用交互トリガ方法。
【発明の詳細な説明】
【０００１】
【発明の属する技術分野】
本発明は、交互トリガ・モードを有するデジタル・ストレージ・オシロスコープ及び方法と共に、それに関連した表示モードに関する。
【０００２】
【従来の技術】
従来のアナログ・オシロスコープは、交互（オールタネート：alternate）トリガとして知られているトリガ・モードを含んでいた。この動作モードにおいて、各入力信号のトレースは、表示装置の表示面に交互に表示された。すなわち、入力信号のトレースが表示されるときに、各トリガが行われた。表示用陰極管のスクリーン上の蛍光体の残光性により、信号が安定且つ同時に表示されているように見えるのに十分長い期間にわたって、各信号の画像を保持した。
【０００３】
図２は、上述の交互トリガ・モードを有する従来のアナログ・オシロスコープ１０の一部を示すブロック図である。図２において、入力端は、ＣＨ１及びＣＨ２のチャネル信号と呼ばれる２つの入力信号を受ける。これら入力端ＣＨ１及びＣＨ２は、例えば、オシロスコープ・プローブであり、ユーザが観察したい信号を発生する回路ノードに接続されている。チャネル１入力端ＣＨ１は、第１入力増幅器１２の入力端に結合しており、チャネル２入力端ＣＨ２は、第２入力増幅器１４に結合している。第１入力増幅器１２の出力端は、第１アナログ・マルチプレクサ（ＭＵＸ）２０及び第２アナログ・マルチプレクサ３０の夫々の第１データ入力端に結合される。第２入力増幅器１４の出力端は、第１アナログ・マルチプレクサ２０及び第２アナログ・マルチプレクサ３０の夫々の第２データ入力端に結合される。第１アナログ・マルチプレクサ２０の出力端は、垂直駆動増幅器４０の入力端に結合される。この垂直駆動増幅器４０の差動出力端は、表示陰極線管５０の垂直偏向板５２の各々に結合される。なお、本明細書では、ＣＨ１及びＣＨ２は、入力端及び入力信号のいずれを表すのにも用いる。
【０００４】
第２アナログ・マルチプレクサ３０の出力端は、トリガ回路６０の第１入力端に結合される。図２において、トリガ回路６０は、比較器として示されているが、図２に示すアナログ・オシロスコープでは、他のトリガ回路も利用可能であることが当業者には理解できよう。しきい値信号Ｔｈの信号源をトリガ回路６０の第２入力端に結合する。トリガ回路６０の出力端は、掃引信号発生器７０の入力端に結合される。この掃引信号発生回路７０の差動出力端は、表示陰極線管５０の水平偏向板５４の各々に結合される。掃引信号発生器７０の状態出力端は、スイッチ制御回路８０の入力端に結合される。スイッチ制御回路８０の各制御出力端は、第１アナログ・マルチプレクサ２０及び第２アナログ・マルチプレクサ３０の制御入力端に結合される。
【０００５】
動作において、第１及び第２アナログ・マルチプレクサ２０及び３０は、スイッチ制御回路８０の制御により、それらの出力端を同時に選択したチャネル入力信号、即ち、チャネル１入力信号ＣＨ１又はチャネル２入力信号ＣＨ２の入力端に結合する。以下の説明において、最初に選択した入力信号をチャネル１入力信号ＣＨ１と仮定する。よって、第１アナログ・マルチプレクサ２０は、チャネル１入力信号ＣＨ１を垂直駆動増幅器４０に供給すると共に、第２アナログ・マルチプレクサ３０は、第１入力信号ＣＨ１をトリガ回路６０に供給する。
【０００６】
トリガ回路６０は、チャネル１入力信号ＣＨ１をしきい値信号Ｔｈと比較する。チャネル１入力信号の振幅がしきい値信号Ｔｈのレベルを通過するときに、トリガ回路６０は、その出力端にトリガ信号を発生する。このトリガ信号により、掃引信号発生器７０は、掃引（傾斜）信号を発生する。この掃引信号は、水平偏向板５４に供給される。水平偏向板５４の掃引信号により、電子ビームが表示スクリーンの左端から右端に単一の掃引を行う。この掃引時間は、ユーザが選択した掃引時間で決まる。
【０００７】
上述の掃引と同時に、チャネル１入力信号ＣＨ１は、垂直駆動増幅器４０により増幅されて、垂直偏向板５２に供給される。垂直偏向板５２の信号により、電子ビーム掃引の垂直位置がチャネル１入力信号の振幅に応じて変化する。垂直偏向板５２及び水平偏向板５４の組み合わせにより、表示陰極線管５０の表示面に波形の１つの可視トレースが生じる。この波形は、トリガ回路６０がトリガ条件の一致検出時点から開始する掃引信号発生器７０により決まる期間にわたるチャネル１入力信号の振幅を示す。
【０００８】
水平掃引が完了すると、掃引信号発生器７０からの制御信号によりスイッチ制御回路８０を制御して、第１及び第２アナログ・マルチプレクサ２０及び３０が他のチャネル入力信号を選択するようにする。すなわち、第１及び第２アナログ・マルチプレクサ２０及び３０の両方は、チャネル２入力信号ＣＨ２をそれらの出力端に出力する。トリガ回路６０は、しきい値信号Ｔｈに対応するチャネル２入力信号ＣＨ２の振幅で掃引信号発生器７０に掃引を開始させ、垂直偏向板５２は、このチャネル信号の振幅に応じて、掃引の垂直位置を変化させる。よって、表示陰極線管５０は、チャネル２入力信号ＣＨ２の１つのトレースを表示する。この掃引が完了すると、スイッチ制御回路８０は、第１及び第２アナログ・マルチプレクサ２０及び３０がチャネル１入力信号ＣＨ１を垂直駆動増幅器４０及びトリガ回路６０に夫々再度供給するように制御して、上述の動作を再び行う。この動作モードにおいて、夫々の振幅でトリガされたチャネル１入力信号及びチャネル２入力信号のトレースは、表示陰極線管５０の表示面に交互に表示されるが、蛍光体の残光性により、これら２つの入力信号安定且つ同時に現れる。
【０００９】
デジタル・ストレージ・オシロスコープは、アナログ・オシロスコープと非常に異なる動作をする。図３は、従来のデジタル・ストレージ・オシロスコープのブロック図を示す。図３において、図２に示したブロックと同じブロックは、同じ参照番号で示し、以下の説明では、それらの説明を省略する。
【００１０】
図３において、チャネル１入力増幅器１２の出力端は、第１アナログ・デジタル（Ａ／Ｄ）変換器１２２の入力端と、トリガ回路１８０の第１入力端、より詳細には、トリガ回路１８０の信号選択器１８２の第１入力端とに結合される。（以下の説明では、トリガ回路１８０の信号選択器１８２を除いた部分を単にトリガ回路１８０と呼び、信号選択器１８２がトリガ回路１８０の外部にあるように説明することもある。）チャネル２入力増幅器１４の出力端は、第２Ａ／Ｄ変換器１２４の入力端と、トリガ回路１８０の第２入力端、より詳細には、信号選択器１８２の第２入力端とに結合される。第１Ａ／Ｄ変換器１２２の出力端は、第１取込みメモリ１３２の入力端に結合され、第２Ａ／Ｄ変換器１２４の出力端は、第２取込みメモリ１３４の入力端に結合される。なお、Ａ／Ｄ変換器１２２及び１２４は、デジタル化手段である。第１取込みメモリ１３２の出力端は、第１展開（unwrap）回路１４２の入力端に結合され、第２取込みメモリ１３４の出力端は、第２展開回路１４４の入力端に結合される。第１展開回路１４２の出力端は、第１波形メモリ１５２の入力端に結合され、第２展開回路１４４の出力端は、第２波形メモリ１５４の入力端に結合される。第１波形メモリ１５２の出力端は、ラスタライザ（ラスタ化回路）１６０の第１入力端に結合され、第２波形メモリ１５４の出力端は、ラスタライザ１６０の第２入力端に結合される。ラスタライザ１６０の出力端を表示装置１７０の入力端に結合する。
【００１１】
トリガ回路１８０の出力端は、制御シーケンサ１９０に結合されている。制御シーケンサ１９０の各制御信号出力端は、第１Ａ／Ｄ変換器１２２、第２Ａ／Ｄ変換器１２４、第１展開回路１４２、第２展開回路１４４及びラスタライザ１６０の対応する入力端に結合されている。（なお、図では、制御シーケンサ１９０からＡ／Ｄ変換器１２２及び展開回路１４２への結線は、Ａ／Ｄ変換器１２４及び展開回路１４４を夫々介して描かれている。）制御シーケンサ１９０の状態出力端は、中央処理装置（ＣＰＵ）２００の対応する入力端に結合されている。ＣＰＵ２００の各制御出力端は、制御シーケンサ１９０及びトリガ回路１８０の対応する入力端に結合されている。
【００１２】
図３のデジタル・ストレージ・オシロスコープは、入力信号が２チャネルのみの場合を示している。しかし、２チャネル以上も同じ方法で同時に処理できることが当業者には理解できよう。特に、４入力信号チャネルを含んだデジタル・ストレージ・オシロスコープが広範囲に利用可能である。さらに、図３では、取込みメモリ１３２及び１３４並びに波形メモリ１５２及び１５４を分離したメモリとして示している。しかし、単一の大容量メモリの分割したメモリ部分をこれらの異なる機能に割り当てて、上述のメモリ１３２、１３４、１５３及び１５４を実施できることが当業者には理解できよう。
【００１３】
動作において、制御シーケンサ１９０の制御により、第１Ａ／Ｄ変換器１２２及び第２Ａ／Ｄ変換器１２４は、チャネル１入力信号ＣＨ１及びチャネル２入力信号ＣＨ２を表すデジタル・サンプル・シーケンスを夫々発生する。これらサンプル・シーケンスは、取込みメモリ１３２及び１３４の各々に蓄積される。トリガ回路１８０は、その入力端の単一の入力信号、又は２つの入力信号の組み合わせがユーザ指定のトリガ条件を満足したときに、トリガ信号を発生する。トリガ回路１８０は、トリガ信号を制御シーケンサ１９０に伝送する。この制御シーケンサ１９０は、トリガ信号のタイミングに応じて、各取込みメモリに蓄積されたどのサンプルが所望波形トレースの左端に対応するかを決める。制御シーケンサ１９０は、展開回路１４２及び１４４を制御して、総ての信号の中の１つのトレースを表す複数のサンプルを取込みメモリ１３２及び１３４の各々から抽出する。すなわち、取込みメモリ１３２及び１３４が循環メモリ（開始アドレスからデータの蓄積してメモリが一杯になると、再び開始アドレスに戻って、重ね書きのようにデータを蓄積するメモリ、即ち、巻き付け（ｗｒａｐ）状態の蓄積を行うメモリ）として動作し、展開（ｕｎｗｒａｐ）回路１４２及び１４４が巻き付け状態に蓄積されたデータの所望部分を展開、即ち、ほどいた状態にする。なお、トレースの左端を示す各サンプルからトレースが開始する。展開回路１４２及び１４４がこれらサンプルを波形に展開して、波形メモリ１５２及び１５４の各々に蓄積する。ラスタライザ１６０は、波形メモリ１５２及び１５４からサンプルを回収して、総てのチャネルの入力信号（即ち、チャネル１入力信号ＣＨ１及びチャネル２入力信号ＣＨ２）を示す波形のビット・マップ形式のラスタ画像を発生する。すなわち、ラスタライザ１６０は、波形メモリの波形データをラスタ画像信号に変換するラスタ化回路である。このビット・マップ・ラスタ画像は、表示装置１７０に表示される。なお、表示装置１７０は、例えば、液晶表示器（ＬＣＤ）である。ラスタライザ１６０が発生し、表示装置１７０に表示された総てのラスタ信号は、Ａ／Ｄ変換器１２２及び１２４が発生した信号に対応するサンプル・シーケンスから得た総ての入力チャネル信号のトレースを含んでいる。
【００１４】
トリガ回路１８０において、トリガ用の総ての信号、即ち、チャネル入力信号ＣＨ１及びＣＨ２並びに総ての他のチャネル入力信号（図示せず）は、信号選択器１８２を介してトリガ回路１８０に供給されていることが判る。信号選択器１８２を介して、外部信号（図示せず）をトリガ回路１８０の入力とすることも可能である。信号選択器１８２は、総ての入力信号から、トリガ回路１８０が分析する信号を選択して、トリガ信号を発生する。トリガ回路１８０は、信号選択器１８２で選択された信号をモニタし、これら選択された信号がユーザ設定のトリガ条件を満足したときに、制御シーケンサ１９０にトリガ信号を供給する。なお、トリガ条件は、ユーザ信号（図示せず）に応答して、ＣＰＵ２００が発生する。ユーザが設定してトリガ条件が変更されず、入力信号がトリガ条件を満足すると、ラスタライザ１６０が総てのトレースを発生することが図３から理解できよう。
【００１５】
デジタル・ストレージ・オシロスコープにおいては、アナログ・オシロスコープのようにトリガ時点でトレースが開始するのではなく、トリガ条件を満足したときに、トレースの左端（開始）を形成するサンプルの場所を展開回路１４２及び１４４に供給する。その結果、デジタル・ストレージ・オシロスコープは、アナログ・オシロスコープよりも、非常に洗練されたトリガ及び表示モードを提供できる。例えば、デジタル・ストレージ・オシロスコープは、プリ・トリガ・モード（トリガ点の前を表示できる）、ポスト・トリガ・モード（トリガ点の後を表示できる）、遅延トリガ・モード（トリガ点から設定時間だけ遅延した部分を表示できる）を提供できる。
【００１６】
【発明が解決しようとする課題】
しかし、デジタル・ストレージ・オシロスコープにおいて、第１トリガ条件を用いた第１波形と、第２トリガ条件を用いた第２波形とを交互（オールタネート）に表示するという進歩したトリガ機能及び表示機能がしばしば望まれる。例えば、動画フィルムの同期ステレオ・サウンド信号のある形式では、フィルムの対向側部に記録された２つのサウンド・トラックを有する。理想的な環境においては、これらサウンド・トラックから抽出された２つのサウンド信号は、同期を維持しなければならない。しかし、再生用映写機の機械的特性により、これらサウンド・トラックは、しばしば同期を失う。このような場合、回復させた２つのサウンド信号を安定した表示として、即ち、夫々の振幅によりトリガして観察できることが望ましい。
【００１７】
したがって、本発明の目的は、２つ以上の入力信号の各々によって順次トリガされて、トリガに用いた入力信号を安定して表示できる交互トリガ・モードを有するデジタル・ストレージ・オシロスコープ及び方法を提供することである。
本発明の他の目的は、２つ以上の入力信号の各々によって順次トリガされて、各入力信号のトリガで他の入力信号も同時に安定して表示できる交互トリガ・モードを実現できるデジタル・ストレージ・オシロスコープ及び方法を提供することである。
【００１８】
【課題を解決するための手段】
本発明は、２つ以上の入力信号を受ける入力端（ＣＨ１、ＣＨ２）と、表示装置（１７０）とを具え、交互トリガ・モードを有するデジタル・ストレージ・オシロスコープであって；入力端に結合され、入力信号の各々を順次選択する選択手段（１１０）と；選択された入力信号に応答し、トリガ条件を満たしたときにトリガ信号を発生するトリガ手段（１８０）と；入力信号用入力端（ＣＨ１、ＣＨ２）及び表示装置（１７０）の間に結合され、各々が入力信号に夫々関連した複数の波形メモリ（１５２、１５４）を含み、トリガ信号に応答して、選択された入力信号に関連した波形メモリ（１５２、１５４）を、選択された入力信号を表すデータにより更新する一方、選択されない入力信号に関連した波形メモリを更新しないで前のデータを残し、複数の波形メモリ内のデータが表す信号の波形を示す画像信号を発生するラスタ信号発生手段（１２２、１２４、１４２、１４４、１５２、１５４、１６０、１９０）とを具えている。なお、複数の波形メモリは、単一の大容量メモリでも実現できるので、この場合の各波形メモリは、単一の波形メモリの各メモリ部分を指す。
また、本発明は、２つ以上の入力信号を受ける入力端（ＣＨ１、ＣＨ２）と、表示装置（１７０）とを有するデジタル・ストレージ・オシロスコープにおいて、交互にトリガを行う方法であって；入力信号の各々を順次選択し（１１０）；選択された入力信号に応答して、トリガ条件を満たしたときに、トリガ信号を発生し（１８０）；トリガ信号に応じて、選択された入力信号を表すデータにより波形メモリ（１５２、１５４）を更新する一方、選択されない入力信号を表すデータにより波形メモリを更新しないで前のデータを残し（１４２、１４４）；選択された入力信号を表す新たに蓄積されたデータ及び更新しない前のデータからラスタ画像信号を発生し（１６０）；画像信号が表す画像を表示する（１７０）ことを特徴としている。
【００１９】
本発明の原理によれば、デジタル・ストレージ・オシロスコープは、入力信号を受ける２つ以上の入力端と、１個の表示装置とを含んでいる。本発明による交互トリガ装置は、複数の入力信号の１つを選択する選択器を含んでいる。トリガ回路は、選択された入力信号に応答して、トリガが条件を満足するときに、トリガ信号を発生する。ラスタ信号発生手段は、各入力信号に関連した複数の波形メモリを含んでおり、選択された入力信号を示すデータを、この選択された入力信号に関連した波形メモリに蓄積する。ラスタ信号発生手段は、選択された入力信号を表すラスタ画像信号を発生する。
【００２０】
【発明の実施の形態】
図１は、本発明の原理を用いたデジタル・ストレージ・オシロスコープのブロック図である。この図１において、図３に示したブロックと同じブロックは、同じ参照番号で示し、以下ではその詳細説明を省略する。
【００２１】
第１入力増幅器１２の出力端は、アナログ・マルチプレクサ（選択手段）１１０の第１入力端に結合され、第２入力増幅器１４の出力端は、アナログ・マルチプレクサ１１０の第２入力端に結合される。図示の実施例において、アナログ・マルチプレクサ１１０は、トリガ回路（トリガ手段）１８０内の信号選択器１８２の一部として実現しているので、点線で示す。アナログ・マルチプレクサ（ＭＵＸ）１１０の出力端は、トリガ回路１８０内の残りの回路部分と結合している。トリガ回路１８０は、多くの従来のトリガ回路の任意のものでよい。なお、以下の説明では、アナログ・マルチプレクサ１１０がトリガ回路１８０の一部ではないように説明することもあるが、これは、アナログ・マルチプレクサ１１０がトリガ回路１８０の前段に配置されている場合であり、共に同じに機能する。ＣＰＵ２００の制御出力端は、アナログ・マルチプレクサ１１０の制御入力端に結合される。
【００２２】
図示の実施例において、図２のアナログ・オシロスコープが動作しているのと同じ動作方法で動作するように、ＣＰＵ２００が信号選択器１８２を制御する。よって、動作において、ＣＰＵ２００は、アナログ・マルチプレクサ１１０を制御して、入力チャネル信号ＣＨ１及びＣＨ２の一方をトリガ回路１８０に供給する。例えば、初めに、アナログ・マルチプレクサ１１０がチャネル１入力信号ＣＨ１をトリガ回路１８０に供給するように、ＣＰＵ２００がアナログ・マルチプレクサ１１０を制御する。この場合、トリガ回路１８０からのトリガ信号が、チャネル１入力信号ＣＨ１に基づいて発生する。しかし、デジタル・ストレージ・オシロスコープの既知の洗練されたトリガ機能及び表示機能の総てを用いて、プリ・トリガ、ポスト・トリガ及び／又は遅延トリガなどのトリガ信号を発生してもよい。
【００２３】
トリガ回路１８０がトリガ信号を発生すると、制御シーケンサ１９０が第１展開回路１４２を制御して、この第１展開回路１４２は、第１取込みメモリ１３２からチャネル１入力信号ＣＨ１を表す所望サンプルを抽出して、これらサンプルを第１波形メモリ１５２に蓄積する。同時に、第２展開回路１４４が制御されるが、この第２展開回路１４４は、第２取込みメモリ１３４から第２チャネル入力信号ＣＨ２を表すサンプルを抽出しない。よって、第２波形メモリ１５４は、チャネル２入力信号ＣＨ２を示す新たなサンプルで更新されない。代わりに、前のサンプルが、第２波形メモリ１５４内に残る。なお、これら展開回路１４２及び１４４は、波形サンプル選択手段を構成する。
【００２４】
ラスタライザ１６０は、波形メモリ１５２及び１５４から、サンプルを表す波形を回収して、これらサンプルに対応する波形を表すラスタ画像信号を発生する。次に、表示装置１７０は、その信号が表すラスタ画像を表示する。その結果、表示装置１７０が表示した波形画像は、チャネル１入力信号ＣＨ１を表す新たに取り込んだサンプルと、チャネル２入力信号ＣＨ２を表す以前に取り込んだサンプルとに基づいている。
【００２５】
ラスタライザ１６０が、上述の如く、波形を表すラスタ画像信号を発生するとき、ＣＰＵ２００がアナログ・マルチプレクサ１１０を制御して、このアナログ・マルチプレクサ１１０がチャネル２入力信号ＣＨ２をトリガ回路１８０に供給する。この場合、トリガ回路１８０からのトリガ信号は、チャネル２入力信号ＣＨ２に基づいて発生されている。トリガ回路１８０がトリガ信号を発生すると、制御シーケンサ１９０が第２展開回路１４４を制御して、この第２展開回路１４４が第２取込みメモリ１３４からチャネル２入力信号ＣＨ２を表す所望サンプルを回収して、これらサンプルを第２波形メモリ１５４に蓄積する。同時に、第１展開回路１４２も制御されるが、この第１展開回路１４２は、第１取込みメモリ１３２からチャネル１入力信号ＣＨ１を表すサンプルを回収しない。よって、第１波形メモリ１５２は、チャネル１入力信号ＣＨ１を表す新たなサンプルにより更新されない。ラスタライザ１６０は、波形メモリ１５２及び１５４からのサンプルを表す波形を回収して、これらサンプルに対応する波形を表すラスタ画像信号を発生する。よって、表示装置１７０は、この信号が表すラスタ画像を表示する。この結果、ラスタライザ１６０が発生した波形画像は、チャネル１入力信号ＣＨ１を表す以前に取り込んだサンプルと、チャネル２入力信号ＣＨ２を表す新たに取り込んだサンプルとに基づく。
【００２６】
ラスタライザ１６０が、上述の如く、波形を表すラスタを発生するとき、ＣＰＵ２００がアナログ・マルチプレクサ１１０を制御して、このアナログ・マルチプレクサ１１０がチャネル１入力信号ＣＨ１をトリガ回路１８０に再び供給して、上述の処理を繰り返す。この方法において、アナログ・オシロスコープにおける交互トリガ・モードと同様な波形表示が行われる。２つの信号を同時に表示するのに、これら２つの信号の各々の振幅に応じてトリガ信号を発生し、交互トリガ・モードを用いるので、これら信号が同期していなくても、波形が表示装置上に安定して現れる。よって、Ａ／Ｄ変換器１２２、１２４、展開回路１４２、１４４、波形メモリ１５２、１５４、ラスタライザ１６０、及び制御シーケンサ１９０がラスタ信号発生手段を構成する。
【００２７】
一実施例において、第１Ａ／Ｄ変換器１２２及び第２Ａ／Ｄ変換器１２４の両方は、それらの入力端の信号をデジタル化するように動作し、チャネル１入力信号ＣＨ１及びチャネル２入力信号ＣＨ２を夫々表すサンプルを発生し、これらサンプルを対応する取込みメモリ１３２及び１３４に蓄積している。他の実施例では、アナログ・マルチプレクサ１１０を介してトリガ回路１８０に供給されたチャネル信号用のＡ／Ｄ変換器１１０のみが動作して、サンプルを発生し、これらサンプルを対応する取込みメモリに蓄積してもよい。また、表示装置１７０は、ラスタ走査型の表示装置ではなく、従来のアナログ・オシロスコープと同様に陰極線管を用いることも可能である。この場合、ラスタライザ１６０の代わりに、波形メモリのサンプル・データ（ビット・マップ形式ではない）をアナログ信号に変換するデジタル・アナログ（Ｄ／Ａ）変換器を用いればよい。よって、Ａ／Ｄ変換器１２２、１２４、展開回路１４２、１４４、波形メモリ１５２、１５４、制御シーケンサ１９０及びＤ／Ａ変換器が表示制御手段を構成する。
【００２８】
２チャネル入力信号用のデジタル・ストレージ・オシロスコープに対して本発明の好適実施例を上述したが、任意の数の入力信号を扱ってもよいことが当業者には理解できよう。この場合、総ての入力信号がアナログ・マルチプレクサ１１０の対応する入力端に供給される。上述の交互トリガ・モードがイネーブルされると（機能すると）、ＣＰＵ２００の制御により、総ての入力信号がトリガ回路１８０に順次供給される。
【００２９】
【発明の効果】
上述の如く本発明によれば、デジタル・ストレージ・オシロスコープにおいて、２つ以上の入力信号の各々によって順次トリガされて、トリガに用いた入力信号を安定して表示できると共に、各入力信号のトリガによって他の入力信号も同時に安定表示できる交互トリガ・モードを実現できる。
【図面の簡単な説明】
【図１】本発明の原理を用いたデジタル・ストレージ・オシロスコープのブロック図である。
【図２】従来のアナログ・オシロスコープのブロック図である。
【図３】従来のデジタル・ストレージ・オシロスコープのブロック図である。
【符号の説明】
１２、１４  入力増幅器
２０、３０  アナログ・マルチプレクサ
４０  垂直駆動増幅器
５０  陰極線管
６０  トリガ回路
７０  掃引信号発生器
８０  スイッチ制御回路
１１０  アナログ・マルチプレクサ（選択手段）
１２２、１２４  Ａ／Ｄ変換器（デジタル化手段）
１３２、１３４  取込みメモリ
１４２、１４４  展開回路（波形サンプル選択手段）
１５２、１５４  波形メモリ
１６０  ラスタライザ（ラスタ化回路）
１７０  表示装置
１８０  トリガ回路（トリガ手段）
１８２  選択器
１９０  制御シーケンサ
２００  ＣＰＵ（中央処理装置）
【図１】
0003670956.tif 000002
【図２】
0003670956.tif 000003
【図３】
0003670956.tif 000004